(57)【要約】【課題】絶縁性基板を貫通するスルーホール導体の信頼性の向上。【解決手段】プリント配線板が、第１面と前記第１面と反対側の第２面を有すると共に前記第１面と前記第２面との間に延在するスルーホール導体用の貫通孔を有する絶縁性基板と、前記絶縁性基板の第１面上および第２面上にそれぞれ形成されている第１導体層および第２導体層と、前記貫通孔内に電解めっきによって前記絶縁性基板の厚み方向の任意の位置からその貫通孔を閉塞してその貫通孔内に充填された金属めっきで形成されて前記第１導体層と前記第２導体層とを電気的に接続するスルーホール導体と、を備えている。【選択図】図２
2016213296.tif 000002
【特許請求の範囲】
【請求項１】
第１面と前記第１面と反対側の第２面を有すると共に前記第１面と前記第２面との間に延在するスルーホール導体用の貫通孔を有する絶縁性基板と、
前記絶縁性基板の第１面上に形成されている第１導体層と、
前記絶縁性基板の第２面上に形成されている第２導体層と、
前記貫通孔内に電解めっきによって前記絶縁性基板の厚み方向の任意の位置からその貫通孔を閉塞してその貫通孔内に充填された金属めっきを有して前記第１導体層と前記第２導体層とを電気的に接続するスルーホール導体と、
を備えてなるプリント配線板。
【請求項２】
前記貫通孔は、前記第１面および前記第２面からそれぞれ形成されたテーパー状の孔の頂部同士が連通してなる概略鼓形のものであり、
前記貫通孔の最小径部は、前記絶縁性基板の厚み方向中央部から前記第１面および前記第２面の何れか寄りにずれて位置しており、
前記スルーホール導体は、前記貫通孔内に電解めっきによって前記絶縁性基板の厚み方向の中央部からその貫通孔を閉塞してその貫通孔内に充填された金属めっきを有していることを特徴とする、請求項１記載のプリント配線板。
【請求項３】
前記テーパー状の孔はレーザーで形成されていることを特徴とする、請求項２記載のプリント配線板。
【請求項４】
前記貫通孔の最小径部の前記ずれて位置している量Ｄと、前記絶縁性基板の厚みＨとの関係は、０＜Ｄ／Ｈ＜０．４であることを特徴とする、請求項２または３記載のプリント配線板。
【請求項５】
前記スルーホール導体の表面に、前記第１面と前記第２面側とで深さが異なる凹部が形成されていることを特徴とする、請求項１から４までの何れか１項記載のプリント配線板。
【請求項６】
前記凹部の深さは７μｍ未満であることを特徴とする、請求項５記載のプリント配線板。
【請求項７】
前記スルーホール導体は、前記貫通孔の側壁に形成された無電解銅めっき膜と、前記貫通孔内で前記無電解銅めっき膜上に充填形成された前記金属めっきとしての電解銅めっき層とを有することを特徴とする、請求項１から６までの何れか１項記載のプリント配線板。
【請求項８】
前記絶縁性基板は、ガラス繊維等の芯材に樹脂を含浸させたプリプレグであって、延在方向の熱膨張係数が１〜１５ｐｐｍ／℃である樹脂基板を有することを特徴とする、請求項１から７までの何れか１項記載のプリント配線板。
【発明の詳細な説明】
【技術分野】
【０００１】
この発明は、スルーホール導体を持つプリント配線板に関する。
【背景技術】
【０００２】
スルーホール導体の抵抗を低くしたり、スルーホールの径を小さくしたりするため、スルーホール導体用の貫通孔をめっきで充填することが行われている。スルーホール導体用の貫通孔をめっきで充填することは、下記の特許文献１などで開示されている。
【０００３】
特許文献１は、絶縁性基板としての樹脂基板の両面から形成したテーパー形状の孔の頂部同士を基板の厚み方向中央部で連通させることで樹脂基板にスルーホール導体用の概略鼓形の貫通孔を形成することと、電解めっきによってその貫通孔内に銅めっきを充填することを開示している。そして、特許文献１ではその貫通孔の、樹脂基板の厚み方向中央部に位置する最小径部から銅めっきで閉塞することで、スルーホール導体用の貫通孔全体が銅めっきを充填されてスルーホール導体が形成されている。
【先行技術文献】
【特許文献】
【０００４】
【特許文献１】特開２００３−０４６２４８号公報
【発明の概要】
【発明が解決しようとする課題】
【０００５】
スルーホール導体用の貫通孔の最小径部が樹脂基板の厚み方向中央部から何れか一方の表面寄りにずれる場合があり、その場合には、最小径部から銅めっきで閉塞すると他方の表面側で充填された銅めっき内にボイドが残留する可能性がある。そのため、スルーホール導体用の貫通孔内に銅めっきを充填することで形成されているスルーホール導体の信頼性が低くなりやすい。
【課題を解決するための手段】
【０００６】
本発明の目的はスルーホール導体の信頼性を高めることである。
本発明のプリント配線板は、
第１面と前記第１面と反対側の第２面を有すると共に前記第１面と前記第２面との間に延在するスルーホール導体用の貫通孔を有する絶縁性基板と、
前記絶縁性基板の第１面上に形成されている第１導体層と、
前記絶縁性基板の第２面上に形成されている第２導体層と、
前記貫通孔内に電解めっきによって前記絶縁性基板の厚み方向の任意の位置からその貫通孔を閉塞してその貫通孔内に充填された金属めっきで形成されて前記第１導体層と前記第２導体層とを電気的に接続するスルーホール導体と、
を備える。
【０００７】
前記貫通孔が、前記第１面および前記第２面からそれぞれ形成されたテーパー状の孔の頂部同士が連通してなる概略鼓形のものであり、前記貫通孔の最小径部が前記絶縁性基板の厚み方向中央部から前記第１面および前記第２面の何れか寄りにずれて位置している場合に、前記スルーホール導体が、前記貫通孔内に電解めっきによって前記絶縁性基板の厚み方向の中央部からその貫通孔を閉塞してその貫通孔内に充填された金属めっきで形成されていると好ましい。
【０００８】
また、前記テーパー状の孔がレーザーで形成されていると好ましい。
【０００９】
なお、前記金属めっきは、実質的に前記貫通孔内の全体に充填されていれば良く、それゆえ前記スルーホール導体は、前記絶縁性基板の前記第１面および前記第２面の少なくとも一方の側の表面に凹部を有していても良い。
【図面の簡単な説明】
【００１０】
【図１】（ａ）〜（ｅ）は、本発明の一実施形態のプリント配線板の製造過程を順次に示す断面図である。
【図２】（ａ）および（ｂ）は、上記実施形態のプリント配線板における形成過程のスルーホール導体および形成されたスルーホール導体を模式的にそれぞれ示す断面図である。
【図３】（ａ）および（ｂ）は、上記実施形態のプリント配線板におけるスルーホール導体の形成過程を順次に示す断面図である。
【図４】（ａ）および（ｂ）は、従来のプリント配線板の一例における形成過程のスルーホール導体および形成されたスルーホール導体を模式的にそれぞれ示す断面図である。
【図５】（ａ）および（ｂ）は、上記例の従来のプリント配線板におけるスルーホール導体の形成過程を順次に示す断面図である。
【図６】本発明の他の一実施形態のプリント配線板における形成過程のスルーホール導体を模式的に示す断面図である。
【発明を実施するための形態】
【００１１】
以下に、先ず、本発明の一実施形態のプリント配線板が詳細に説明される。ここに、図１（ａ）〜図１（ｅ）は、本発明の一実施形態のプリント配線板の製造過程を順次に示す断面図であり、図２（ａ）および図２（ｂ）は、上記実施形態のプリント配線板における形成過程のスルーホール導体および形成されたスルーホール導体を模式的にそれぞれ示す断面図であり、図３（ａ）および図３（ｂ）は、上記実施形態のプリント配線板におけるスルーホール導体の形成過程を順次に示す断面図である。
【００１２】
この実施形態のプリント配線板は、絶縁性基板１を備えており、この絶縁性基板１は、図２（ｂ）に示すように、図では上向きの第１面１ａと、その第１面１ａと反対側の、図では下向きの第２面１ｂとを有すると共に、第１面１ａと第２面１ｂとの間に延在するスルーホール導体用の貫通孔２を有している。貫通孔２は、絶縁性基板１の第１面１ａおよび第２面１ｂからそれぞれ形成されたテーパー状の孔の頂部同士が連通してなる概略鼓形のものであり、この実施形態では図２（ａ）に示すように、貫通孔２の最小径部２ａが絶縁性基板１の厚み方向中央部１ｃから図示例では第１面１ａ寄りに距離Ｄだけずれて位置している。貫通孔２の最小径部２ａの、絶縁性基板１の厚み方向中央部１ｃからずれて位置している量Ｄと、絶縁性基板１の厚みＨとの関係は、０＜Ｄ／Ｈ＜０．４、すなわちずれ量Ｄが厚みＨの４割未満であると好ましい。ずれ量Ｄが厚みＨの４割以上であると、後述するスルーホール導体５の形成の際に、電解銅めっきで貫通孔２の最小径部２ａよりも奥の、絶縁性基板１の厚み方向中央部１ｃ付近から閉塞するのが困難な場合があるからである。
【００１３】
この実施形態のプリント配線板はまた、絶縁性基板１の第１面１ａ上に銅めっきで形成されている第１導体層３と、絶縁性基板１の第２面１ｂ上に銅めっきで形成されている第２導体層４と、貫通孔２内に充填された銅めっきで形成されて第１導体層３と第２導体層４とを電気的に接続するスルーホール導体５とを備えている。
【００１４】
この実施形態のプリント配線板を製造する際には、先ず図１（ａ）に示すように、絶縁性基板１を準備する。この絶縁性基板１としては、例えばエポキシ樹脂基板、シリコン基板、ガラス基板等を用いることができ、好ましくは、例えば樹脂基板１０の両面に銅箔１１を貼り付けた両面銅貼り樹脂基板を用い、その樹脂基板１０としては、例えばガラス繊維等の芯材に樹脂を含浸させたプリプレグであって、延在方向の熱膨張係数が１〜１５ｐｐｍ／℃であるプリプレグを用いることができる。このようなプリプレグを用いれば、プリント基板が熱による過度の変形や寸法変化を生じにくいからである。
【００１５】
ここでは次に図１（ｂ）に示すように、絶縁性基板１にその第１面１ａと第２面１ｂとの間に延在するスルーホール導体用の概略鼓形の貫通孔２を形成する。このような概略鼓形の貫通孔は、図１（ｂ）に示すように、絶縁性基板１の第１面１ａおよび第２面１ｂの実質的に同一の位置に例えばレーザーＬで形成したテーパー状の孔の頂部同士を接続することで形成することができるが、第１面１ａ側と第２面１ｂ側とでのレーザーＬの出力の相違等により上述のように、貫通孔２の最小径部２ａが、絶縁性基板１の厚み方向中央部１ｃから第１面１ａ寄りに距離Ｄだけずれて位置している。
【００１６】
ここでは次に図１（ｃ）に示すように、その貫通孔２内のスミアを除去する通常のデスミア処理を行い、次いで図１（ｄ）に示すように、絶縁性基板１の第１面１ａおよび第２面１ｂと貫通孔２の側壁とに、粗化処理を施してから無電解銅めっき膜１２を一体に形成する。
【００１７】
ここではさらに図１（ｅ）に示すように、絶縁性基板１の第１面１ａ上の無電解銅めっき膜１２上に電解銅めっきで銅めっき層６を形成するとともに、絶縁性基板１の第２面１ｂ上の無電解銅めっき膜１２上に電解銅めっきで電解銅めっき層６を形成し、それと同時に貫通孔２内の無電解銅めっき膜１２上に電解銅めっきで、図２（ａ），（ｂ）に順次に示すように、それら第１面１ａ上の電解銅めっき層６と第２面１ｂ上の電解銅めっき層６とを電気的に接続するスルーホール導体５を充填形成する。
【００１８】
このように貫通孔２内に電解銅めっきでスルーホール導体５を充填形成する際には、絶縁性基板１を、析出抑制剤を添加した電解めっき液に浸漬し、上記無電解銅めっき膜１２を一方の電極にして、図３（ａ）に矢印で示すように、絶縁性基板１の第１面１ａ側および第２面１ｂ側のうち、貫通孔２の最小径部２ａに近い第１面１ａ側で電解めっき液を第２面１ｂ側よりも強く攪拌しながら無電解銅めっき膜１２上に電解銅めっきを施すことにより、それら第１面１ａおよび第２面１ｂ上に銅めっき層６を形成するとともに、貫通孔２内にそれら第１面１ａおよび第２面１ｂ上の銅めっき層６を電気的に接続するスルーホール導体５を形成してゆく。
【００１９】
なお、電解銅めっきは一般にめっき対象物の角部に析出し易い傾向があり、貫通孔２の入口角部に析出して孔内へ銅めっきの充填を妨げ易いところ、析出抑制剤（析出金属成長抑制剤）はその傾向を抑制して、貫通孔２の内部への電解銅めっきの充填を可能にするものであり、この析出抑制剤としては、例えば析出金属が大きくなったときにその表面に吸着して析出金属の成長を遅らせる既知の金属粒子分散剤等が用いられる。
【００２０】
これにより、図２（ａ）および図３（ａ），（ｂ）に示すように、貫通孔２内ではその側壁から中心軸に向かって銅めっきが析出し、その際、上記攪拌強さの相違から第１面１ａ側の方が第２面１ｂ側より析出抑制剤７が銅めっき表面に多く吸着されて銅めっきが析出しにくくなるため、銅めっきで貫通孔２の最小径部２ａよりも奥の、絶縁性基板１の厚み方向中央部１ｃ付近が先ず閉塞される。そしてその厚み方向中央部１ｃ付近が閉塞されて形成された、第１面１ａ側および第２面１ｂ側で深さが同程度の凹部８内に次第に銅めっきが充填されて、図２（ｂ）に示すように、ボイドのないスルーホール導体５が形成される。
【００２１】
その後ここでは、絶縁性基板１の第１面１ａおよび第２面１ｂ上に形成した無電解銅めっき膜１２および電解銅めっき層６にエッチング等のパターン形成方法によって所定の配線パターンを形成することで、図２（ｂ）に示すように、それぞれ無電解銅めっき膜１２と電解銅めっき層６との２層の銅めっきからなる第１導体層３と第２導体層４とを形成して、この実施形態のプリント配線板を製造する。
【００２２】
従って、この実施形態のプリント配線板によれば、絶縁性基板１の第１面１ａ側と第２面１ｂ側とでテーパー状の孔の中心軸線の位置や内径や深さ等が少し異なっていて、貫通孔２の断面形状が絶縁性基板１の厚み方向中央部１ｃに関して上下対称とならず、貫通孔２の最小径部２ａが絶縁性基板１の厚み方向中央部１ｃから第１面１ａ寄りにずれて位置していても、図２（ｂ）に示すように、第１面１ａ上の第１導体層３と第２面１ｂ上の第２導体層４とを電気的に接続するスルーホール導体５内にボイドが残留しないので、スルーホール導体５の信頼性を高めることができる。
【００２３】
なお、貫通孔２の最小径部２ａが絶縁性基板１の厚み方向中央部１ｃから第２面１ｂ寄りにずれて位置していても、上記と同様にして、第１面１ａ上の第１導体層３と第２面１ｂ上の第２導体層４とを電気的に接続するスルーホール導体５を、ボイドが残留しないものとすることができる。
【００２４】
次に、従来のプリント配線板の一例が詳細に説明される。図４（ａ）および図４（ｂ）は、上記例の従来のプリント配線板における形成過程のスルーホール導体および形成されたスルーホール導体を模式的にそれぞれ示す断面図であり、図５（ａ）および図５（ｂ）は、上記例の従来のプリント配線板におけるスルーホール導体の形成過程を順次に示す断面図である。
【００２５】
この例の従来のプリント配線板も絶縁性基板１を備えており、この絶縁性基板１も、図４（ａ），（ｂ）に示すように、図では上向きの第１面１ａと、その第１面１ａと反対側の、図では下向きの第２面１ｂとを有すると共に、第１面１ａと第２面１ｂとの間に延在するスルーホール導体用の貫通孔２を有している。貫通孔２は、絶縁性基板１の第１面１ａおよび第２面１ｂからそれぞれ形成されたテーパー状の孔の頂部同士が連通してなる概略鼓形のものであり、貫通孔２の最小径部２ａが絶縁性基板１の厚み方向中央部１ｃから図示例では第１面寄りにずれて位置している。
【００２６】
この例の従来のプリント配線板はまた、絶縁性基板１の第１面１ａ上に銅めっきで形成されている第１導体層３と、絶縁性基板１の第２面１ｂ上に銅めっきで形成されている第２導体層４と、貫通孔２内に充填された銅めっきで形成されて第１導体層３と第２導体層４とを電気的に接続するスルーホール導体５とを備えている。
【００２７】
この例の従来のプリント配線板において貫通孔２内に銅めっきでスルーホール導体５を充填形成する際には、絶縁性基板１の第１面１ａおよび第２面１ｂと貫通孔２の側壁とに、先ず粗化処理を施し、次いで無電解めっきで図１（ｄ）に示すと同様の銅めっき膜１２を形成する。
【００２８】
次いで絶縁性基板１を、上記実施形態におけると同様の析出抑制剤を添加した電解めっき液に浸漬し、その無電解銅めっき膜を一方の電極にして、図５（ａ）に矢印で示すように、絶縁性基板１の第１面１ａ側および第２面１ｂ側で電解めっき液を同程度に攪拌しながら無電解銅めっき膜上に電解銅めっきを施すことにより、それら第１面１ａおよび第２面１ｂ上に銅めっき層６を形成するとともに貫通孔２内にスルーホール導体５を形成してゆく。
【００２９】
これにより、図４（ａ）および図５（ｂ）に示すように、貫通孔２内ではその側壁から中心軸に向かって銅めっきが析出し、その銅めっきで貫通孔２の最小径部２ａ付近が先ず閉塞される。そしてその最小径部２ａ付近が閉塞されて形成された、第１面１ａ側と第２面１ｂ側とで深さが異なる凹部８内に次第に銅めっきが充填されて、図４（ｂ）に示すように、第２面１ｂ側すなわち凹部８が深かった側にボイドＢが残留したスルーホール導体５が形成される。
【００３０】
その後ここでは、絶縁性基板１の第１面１ａおよび第２面１ｂ上に形成した無電解銅めっき膜１２および電解銅めっき層６にエッチング等のパターン形成方法によって所定の配線パターンを形成することで、図４（ｂ）に示すように、それぞれ無電解銅めっき膜１２と電解銅めっき層６との２層の銅めっきからなる第１導体層３と第２導体層４とを形成して、従来のプリント配線板を製造する。
【００３１】
従って、上記例の従来のプリント配線板では、図４（ｂ）に示すように、絶縁性基板１の第２面１ｂ側にボイドＢが残留したスルーホール導体５を備えることになり、スルーホール導体の信頼性が低くなる。
【００３２】
図６は、本発明の他の一実施形態のプリント配線板における形成過程のスルーホール導体を模式的に示す断面図である。この実施形態のプリント配線板は、絶縁性基板が有するスルーホール導体用の貫通孔が先の実施形態におけるような括れを持つ概略鼓形の孔でなく、軸線方向に沿って一定の内径を持ついわゆるストレート孔である点でのみ先の実施形態と異なっており、他の点では先の実施形態と同様の構成を備えているので、図中先の実施形態と同様の部分は、それと同一の符号にて示す。
【００３３】
すなわち、この実施形態のプリント配線板も、絶縁性基板１を備えており、この絶縁性基板１は、図６に示すように、図では上向きの第１面１ａと、その第１面１ａと反対側の、図では下向きの第２面１ｂとを有すると共に、第１面１ａと第２面１ｂとの間に延在するスルーホール導体用の貫通孔２を有している。
【００３４】
貫通孔２は、軸線方向に沿って一定の内径を持つストレート孔であり、このようなストレート孔の貫通孔２は、絶縁性基板１の第１面１ａまたは第２面１ｂ側から例えばドリルで穿孔することによって形成することができる。
【００３５】
図６に示すように、この実施形態のプリント配線板はまた、絶縁性基板１の第１面１ａ上に銅めっきで形成されている第１導体層３と、絶縁性基板１の第２面１ｂ上に銅めっきで形成されている第２導体層４と、貫通孔２内に電解めっきによって充填された銅めっきで形成されて第１導体層３と第２導体層４とを電気的に接続するスルーホール導体５とを備えている。
【００３６】
この実施形態のプリント配線板では、スルーホール導体５の形成過程において貫通孔２内に電解めっきで銅めっきを充填する際に、絶縁性基板１の第１面１ａおよび第２面１ｂと貫通孔２の側壁とに、先ず粗化処理を施し、次いで無電解めっきで図示しない銅めっき膜を一体に形成する。
【００３７】
次いで絶縁性基板１を、析出抑制剤を添加した電解めっき液に浸漬し、その無電解銅めっき膜を一方の電極にして無電解銅めっき膜上に電解銅めっきを施すことにより、絶縁性基板１の第１面１ａおよび第２面１ｂ上に銅めっき層６を形成するとともに、第１面１ａおよび第２面１ｂ上の銅めっき層６を電気的に接続するスルーホール導体５を貫通孔２内に形成してゆく。
【００３８】
この電解銅めっきの際、先の実施形態におけると同様に、絶縁性基板１の第１面１ａ側および第２面１ｂ側のうち、第１面１ａ側で電解めっき液を第２面１ｂ側よりも強く攪拌すれば、その攪拌強さの相違から第１面１ａ側の方が第２面１ｂ側より析出抑制剤７が銅めっき表面に多く吸着されて銅めっきが析出しにくくなるため、図中実線で示すように、銅めっきで貫通孔２内の、絶縁性基板１の厚み方向中央部１ｃよりも任意の距離ＡＤ分第２面１ｂ寄りの位置ＣＰが先ず閉塞される。そしてその第２面１ｂ寄りの位置ＣＰが閉塞されて形成された、第１面１ａ側と第２面１ｂ側とで深さが異なる凹部８内に図５中仮想線で示すように次第に銅めっきが充填されて、ボイドが残留しないスルーホール導体５が貫通孔２内に形成される。
【００３９】
なお、上記電解銅めっきの際、先の実施形態におけると逆に、絶縁性基板１の第１面１ａ側および第２面１ｂ側のうち、第２面１ｂ側で電解めっき液を第１面１ａ側よりも強く攪拌することで、銅めっきで貫通孔２内の、絶縁性基板１の厚み方向中央部１ｃよりも任意の距離ＡＤ分第１面１ａ寄りの位置ＣＰが先に閉塞されるようにすることができる。
【００４０】
その後、絶縁性基板１の第１面１ａおよび第２面１ｂ上に形成した銅めっき層６にそれぞれエッチング等のパターン形成方法によって所定の配線パターンを形成することで、第１導体層３と第２導体層４とが形成され、それら第１導体層３と第２導体層４がスルーホール導体５で電気的に接続される。
【００４１】
従って、この実施形態のプリント配線板によれば、図６に示すように、貫通孔２が途中に括れのないストレート孔の場合でも、第１面１ａ上の第１導体層３と第２面１ｂ上の第２導体層４とを電気的に接続するスルーホール導体５内にボイドが残留しないので、スルーホール導体５の信頼性を高めることができる。
【００４２】
しかも、電解銅めっきで貫通孔２内の、絶縁性基板１の厚み方向中央部１ｃから任意の距離ＡＤだけ絶縁性基板１の第１面１ａまたは第２面１ｂ寄りの位置を先ず閉じることで、第１面１ａ側と第２面１ｂ側とで深さが異なる凹部８を電解銅めっきで適宜に埋めることができるので、スルーホール導体５の表面に、第１面１ａ側と第２面１ｂ側とで異なる任意の深さの凹部を形成することができる。この場合に、スルーホール導体５の表面の凹部の深さは７μｍ未満であることが好ましい。凹部の深さが７μｍ以上であると、多層プリント配線板を構成するためにその凹部の上に積層される絶縁性樹脂層の表面の平坦度が過度に損なわれる場合があるからである。
【００４３】
上述した図２および図６に示される実施形態のプリント配線板は、通常の電子回路を構成する多層プリント基板にコア基板等として用い得る他、半導体素子を搭載した下側パッケージ基板上に、半導体素子を搭載した上側パッケージ基板を積層して電気的に接続したパッケージオンパッケージ（ＰＯＰ）型のプリント配線基板にコア基板等として用いることもできる。
【００４４】
なお、第１面１ａ上の第１導体層３と第２面１ｂ上の第２導体層４とは、図２および図６に示される実施形態のプリント配線板では無電解銅めっき膜とその上の電解銅めっき層とで形成されているが、この発明では、絶縁性基板１として例えば図１に示すように樹脂基板１０の両表面に銅箔１１が張られた両面銅張り基板が用いられ、それらの銅箔１１上の無電解銅めっき膜１２とその上の電解銅めっき層６とで形成されていても良い。
【００４５】
また、第１面１ａ上の第１導体層３と第２面１ｂ上の第２導体層４と貫通孔２内のスルーホール導体５とを形成する電解めっきは、図２および図６に示される実施形態のプリント配線板では電解銅めっきとされているが、この発明では、他の金属の電解めっきとされていても良い。
【産業上の利用可能性】
【００４６】
かくしてこの発明のプリント配線板によれば、貫通孔の括れの位置や括れの有無にかかわらず、電解めっきで貫通孔内の任意の位置から先に貫通孔を閉塞して、スルーホール導体内へのボイドの残留を防止することができる。
【符号の説明】
【００４７】
１  絶縁性基板
１ａ  第１面
１ｂ  第２面
１ｃ  厚み方向中央部
２  貫通孔
２ａ  最小径部
３  第１導体層
４  第２導体層
５  スルーホール導体
６  電解銅めっき層
７  析出抑制剤
８  凹部
１０  樹脂基板
１１  銅箔
１２  無電解銅めっき層
ＡＤ  任意の距離
Ｂ  ボイド
ＣＰ  先に閉じる位置
Ｄ  最小径部と厚み方向中央部との距離
【図１】
2016213296.tif 000003
【図２】
2016213296.tif 000004
【図３】
2016213296.tif 000005
【図４】
2016213296.tif 000006
【図５】
2016213296.tif 000007
【図６】
2016213296.tif 000008